(57)【要約】  様々な態様は、貫通ヒンジ配線構成を有するオーディオ眼鏡を含む。特定の態様では、オーディオ眼鏡は、ユーザーの頭部に置かれるためのフレームであって、フレームは、レンズ領域と、レンズ領域から延在する一対のアームと、レンズ領域及び一対のアームのうちの１つを連結するヒンジであって、ヒンジは、本体と、本体内の空洞であって、空洞は、内部を通って延在するケーブルを収容するようにサイズ決めされ、ヒンジはレンズ領域に対するアームの動きを可能にする、空洞と、を含む、ヒンジと、を有する、フレームと、フレーム内に少なくとも部分的に収容され、オーディオ出力を提供するために音放射面を有する電気音響トランスデューサと、を含む。
2021532418.tif 000002
【特許請求の範囲】
【請求項１】
オーディオ眼鏡であって、
ユーザーの頭部に置かれるためのフレームであって、前記フレームは、
レンズ領域と、
前記レンズ領域から延在する一対のアームと、
前記レンズ領域及び前記一対のアームのうちの１つを連結するヒンジであって、前記ヒンジは、
本体と、
前記本体内の空洞であって、前記空洞は、内部を通って延在するケーブルを収容するようにサイズ決めされ、前記ヒンジは、前記レンズ領域に対する前記アームの動きを可能にする、空洞と、を含む、ヒンジと、を含む、フレームと、
前記フレーム内に少なくとも部分的に収容され、オーディオ出力を提供するための音放射面を含む、電気音響トランスデューサと、
を備える、オーディオ眼鏡。
【請求項２】
前記レンズ領域に対する前記アームの前記動きを減衰させるために、前記本体に連結された摩擦要素を更に備える、請求項１に記載のオーディオ眼鏡。
【請求項３】
前記摩擦要素が、シリコーンダンパー又はバネ式デバイスのうちの少なくとも１つを含む、請求項２に記載のオーディオ眼鏡。
【請求項４】
前記レンズ領域及び前記一対のアームのうちの第２のアームを連結する追加のヒンジを更に備え、前記追加のヒンジは、
本体と、
前記本体内の空洞と、
を含み、前記空洞は、内部を通って延在する前記ケーブルを収容するようにサイズ決めされている、請求項１に記載のオーディオ眼鏡。
【請求項５】
前記電気音響トランスデューサは、前記ヒンジによって前記レンズ領域に連結された前記アームのうちの第１のアーム内に装着され、前記ケーブルは、前記アームのうちの他方のアーム内の回路基板に第１の位置で固定され、前記レンズ領域を通って延在し、前記アームのうちの前記第１のアーム内の前記電気音響トランスデューサに近接した第２の位置に固定されている、請求項１に記載のオーディオ眼鏡。
【請求項６】
前記ケーブルは、前記レンズ領域に対する前記アームの前記動きの最中の前記ケーブルに対する張力を制御するために、前記空洞内に収容された少なくとも１つの屈曲部を更に含む、請求項５に記載のオーディオ眼鏡。
【請求項７】
前記ヒンジを前記アームに連結するピンのセットを更に備える、請求項１に記載のオーディオ眼鏡。
【請求項８】
前記ヒンジは、前記オーディオ眼鏡が開放位置にあるときに前記ケーブルを視界からほぼ遮り、前記オーディオ眼鏡が閉鎖位置にあるときに前記ケーブルを視界から完全に遮る、請求項１に記載のオーディオ眼鏡。
【請求項９】
前記ケーブルは、フレキシブルプリント回路（ＦＰＣ）を含む、請求項１に記載のオーディオ眼鏡。
【請求項１０】
オーディオ眼鏡であって、
ユーザーの頭部に置かれるためのフレームであって、前記フレームは、
レンズ領域と、
前記レンズ領域から延在する一対のアームと、
前記レンズ領域から前記一対のアームのうちの少なくとも１つまで延在するフレキシブルプリント回路（ＦＰＣ）であって、前記フレキシブルプリント回路（ＦＰＣ）は、
前記レンズ領域内に位置する第１のセグメントであって、前記第１のセグメントは、少なくとも１つのビアによって接続され、絶縁層によって分離された２層の導電材料を含む、第１のセグメントと、
前記第１のセグメントと連続し、前記レンズ領域と前記一対のアームのうちの前記少なくとも１つとの間の接合部に近接して位置する第２のセグメントであって、前記第２のセグメントは、前記２層の導電材料のうちの第１の層のみと前記絶縁層とを含む、第２のセグメントと、を含む、フレキシブルプリント回路（ＦＰＣ）と、を含む、フレームと、
前記ＦＰＣと接続された電気音響トランスデューサであって、前記電気音響トランスデューサは、前記フレーム内に少なくとも部分的に収容され、オーディオ出力を提供するための音放射面を含む、電気音響トランスデューサと、
を備える、オーディオ眼鏡。
【請求項１１】
前記レンズ領域と前記一対のアームのうちの前記少なくとも１つとの間の前記接合部は、ヒンジを含み、前記ヒンジは、
本体と、
前記本体内の空洞であって、前記空洞は、内部を通って延在する前記ＦＰＣを収容するようにサイズ決めされ、前記ヒンジは、前記レンズ領域に対する前記アームの動きを可能にする、空洞と、
を含む、請求項１０に記載のオーディオ眼鏡。
【請求項１２】
前記ＦＰＣは、前記第２のセグメントが前記ヒンジ内の前記空洞を通過し、前記第１のセグメントが前記ヒンジ内の前記空洞の外側に留まるように、前記第１のセグメントから前記ヒンジに近接する前記第２のセグメントに移行している、請求項１１に記載のオーディオ眼鏡。
【請求項１３】
前記ＦＰＣは、前記一対のアーム及び前記レンズ領域の両方を通って延在し、前記第２のセグメントのみが、前記レンズ領域と前記一対のアームとの間の対応の接合部に近接して位置する、請求項１０に記載のオーディオ眼鏡。
【請求項１４】
前記２層の導電材料は、第１の導電材料層及び第２の別個の導電材料層を含み、前記第１の導電材料層は、第２の導電材料層よりも薄い、請求項１０に記載のオーディオ眼鏡。
【請求項１５】
前記第２の導電材料層は、前記第１の導電材料層の厚さの少なくとも３倍の厚さを有する、請求項１４に記載のオーディオ眼鏡。
【請求項１６】
前記第１のセグメントは、前記第２のセグメントよりも低いインピーダンスを有し、前記第２のセグメントは、前記第１のセグメントよりも長い曲げサイクル寿命を有する、請求項１０に記載のオーディオ眼鏡。
【請求項１７】
前記２層の導電材料のうちの一方の層に隣接する第１の追加の絶縁層と、前記２層の導電材料のうちの他方の層に隣接する第２の追加の絶縁層と、を更に含む、請求項１０に記載のオーディオ眼鏡。
【請求項１８】
オーディオ眼鏡であって、
ユーザーの頭部に置かれるためのフレームであって、前記フレームは、
レンズ領域と、
前記レンズ領域から延在する一対のアームと、
前記レンズ領域及び前記一対のアームのうちの１つを連結するヒンジであって、前記ヒンジは、
本体と、
前記本体内の空洞であって、前記ヒンジは、前記レンズ領域に対する前記アームの動きを可能にする、空洞と、を含む、ヒンジと、
前記レンズ領域から、前記ヒンジ内の前記空洞を通って前記一対のアームのうちの少なくとも１つまで延在するフレキシブルプリント回路（ＦＰＣ）と、を含む、フレームと、
前記ＦＰＣと接続された電気音響トランスデューサであって、前記電気音響トランスデューサは、前記フレーム内に少なくとも部分的に収容され、オーディオ出力を提供するための音放射面を含む、電気音響トランスデューサと、
を備える、オーディオ眼鏡。
【請求項１９】
前記ＦＰＣは、
前記レンズ領域内に位置する第１のセグメントであって、前記第１のセグメントは、少なくとも１つのビアによって接続され、絶縁層によって分離された２層の導電材料を含む、第１のセグメントと、
前記第１のセグメントと連続し、前記レンズ領域と前記一対のアームのうちの前記少なくとも１つとの間の前記ヒンジを通って延在する第２のセグメントであって、前記第２のセグメントは、前記２層の導電材料のうちの第１の層のみと前記絶縁層とを含む、第２のセグメントと、を含む、請求項１８に記載のオーディオ眼鏡。
【請求項２０】
前記レンズ領域に対する前記アームの前記動きを減衰させるために、前記本体に連結された摩擦要素を更に備える、請求項１８に記載のオーディオ眼鏡。
【発明の詳細な説明】
【技術分野】
【０００１】
本開示は、概して、オーディオ眼鏡に関する。より具体的には、本開示は、貫通ヒンジ配線を有するオーディオ眼鏡に関する。
【背景技術】
【０００２】
オフイヤーヘッドフォンなどのウェアラブルオーディオデバイスは、ユーザーの耳から離間した電気音響トランスデューサを使用して音を生成する。これらのウェアラブルオーディオデバイスは、様々なフォームファクタをとり得る。いくつかの事例では、これらのウェアラブルオーディオデバイスは、ユーザーの耳及び鼻の上に置かれるように構成されたオーディオ眼鏡を含む。オーディオ眼鏡は、例えば眼鏡のアーム上に位置する、ユーザーの耳の一方又は両方に近接するトランスデューサを含み得る。しかしながら、これらのトランスデューサに電力を供給すること、並びにオーディオ眼鏡のフレームを介した有線通信を可能にすることは、この音声デバイスフォームファクタにおいて困難であり得る。
【発明の概要】
【０００３】
下記で言及される全ての例及び特徴は、技術的に可能な任意の方法で組み合わせることができる。
【０００４】
本開示の様々な実装形態は、貫通ヒンジ配線構成を有するオーディオ眼鏡を含む。
【０００５】
いくつかの特定の態様では、オーディオ眼鏡は、ユーザーの頭部に置かれるためのフレームであって、フレームは、レンズ領域と、レンズ領域から延在する一対のアームと、レンズ領域及び一対のアームのうちの１つを連結するヒンジであって、ヒンジは、本体と、本体内の空洞であって、空洞は、内部を通って延在するケーブルを収容するようにサイズ決めされ、ヒンジが、レンズ領域に対するアームの動きを可能にする、空洞と、を含む、ヒンジと、を有する、フレームと、フレーム内に少なくとも部分的に収容され、オーディオ出力を提供するための音放射面を有する電気音響トランスデューサと、を含む。
【０００６】
他の特定の態様では、オーディオ眼鏡は、ユーザーの頭部に置かれるためのフレームであって、フレームは、レンズ領域と、レンズ領域から延在する一対のアームと、レンズ領域から一対のアームのうちの少なくとも１つまで延在するフレキシブルプリント回路（ＦＰＣ）であって、ＦＰＣは、レンズ領域内に位置する第１のセグメントであって、第１のセグメントは、少なくとも１つのビアによって接続され、絶縁層によって分離される２層の導電材料を有する、第１のセグメントと、第１のセグメントと連続し、レンズ領域と一対のアームのうちの少なくとも１つとの間の接合部に近接する第２のセグメントであって、第２のセグメントは、２層の導電材料のうちの第１の層のみと、絶縁層と、を含む、第２のセグメントと、を含む、ＦＰＣと、を有する、フレームと、ＦＰＣと接続された電気音響トランスデューサであって、電気音響トランスデューサは、フレーム内に少なくとも部分的に収容され、オーディオ出力を提供するための音放射面を有する、電気音響トランスデューサと、を含む。
【０００７】
更なる特定の態様では、オーディオ眼鏡は、ユーザーの頭部に置かれるためのフレームであって、フレームは、レンズ領域と、レンズ領域から延在する一対のアームと、レンズ領域及び一対のアームのうちの１つを連結するヒンジであって、ヒンジは、本体と、本体内の空洞であって、ヒンジが、レンズ領域に対するアームの動きを可能にする、空洞と、を含む、ヒンジと、レンズ領域からヒンジ内の空洞を通って一対のアームのうちの少なくとも１つまで延在するフレキシブルプリント回路（ＦＰＣ）と、を有する、フレームと、ＦＰＣと接続された電気音響トランスデューサであって、電気音響トランスデューサは、フレーム内に少なくとも部分的に収容され、オーディオ出力を提供するための音放射面を有する、電気音響トランスデューサと、を含む。
【０００８】
実装形態は、以下の特徴のうちの１つ、又はそれらの任意の組み合わせを含み得る。
【０００９】
ある特定の実装形態では、オーディオ眼鏡は、レンズ領域に対するアームの動きを減衰させるために本体に連結された摩擦要素を含む。特定の事例では、摩擦要素は、シリコーンダンパー又はバネ式デバイスのうちの少なくとも１つを含む。
【００１０】
いくつかの態様では、オーディオ眼鏡は、レンズ領域及び一対のアームのうちの第２のアームを連結する追加のヒンジを含み、追加のヒンジは、本体と、本体内の空洞と、を有し、空洞は、内部を通って延在するケーブルを収容するようにサイズ決めされる。
【００１１】
ある特定の事例では、電気音響トランスデューサは、ヒンジによってレンズ領域に連結されるアームのうちの第１のアーム内に装着され、ケーブルは、第１の位置でアームのうちの他方のアーム内の回路基板に固定され、レンズ領域を通って延在し、アームのうちの第１のアーム内の電気音響トランスデューサに近接した第２の位置に固定される。特定の態様では、ケーブルは、レンズ領域に対するアームの動きの最中のケーブルに対する張力を制御するために、空洞内に収容された少なくとも１つの屈曲部を更に含む。
【００１２】
いくつかの実装形態では、オーディオ眼鏡は、ヒンジをアームに連結するピンのセットを更に含む。
【００１３】
ある特定の態様では、ヒンジは、オーディオ眼鏡が開放位置にあるときにケーブルを視界からほぼ遮り、オーディオ眼鏡が閉鎖位置にあるときにケーブルを視界から完全に遮る。
【００１４】
特定の事例では、ケーブルは、フレキシブルプリント回路（ＦＰＣ）を含む。
【００１５】
いくつかの態様では、レンズ領域と一対のアームのうちの少なくとも１つとの間の接合部は、ヒンジを含み、ヒンジは、本体と、本体内の空洞であって、空洞は、内部を通って延在するＦＰＣを収容するようにサイズ決めされ、ヒンジが、レンズ領域に対するアームの動きを可能にする、空洞と、を有する。ある特定の事例では、ＦＰＣは、第２のセグメントがヒンジ内の空洞を通過し、第１のセグメントがヒンジ内の空洞の外側に留まるように、第１のセグメントからヒンジに近接する第２のセグメントに移行する。
【００１６】
ある実装形態では、ＦＰＣは、一対のアーム及びレンズ領域の両方を通って延在し、第２のセグメントのみが、レンズ領域と一対のアームとの間の対応の接合部に近接して位置する。
【００１７】
特定の態様では、２層の導電材料は、第１の導電材料層及び第２の別個の導電材料層を含み、第１の導電材料層は、第２の導電材料層よりも薄い。いくつかの実装形態では、第２の導電材料層は、第１の導電材料層の厚さの少なくとも３倍の厚さを有する。
【００１８】
ある特定の事例では、第１のセグメントは、第２のセグメントよりも低いインピーダンスを有し、第２のセグメントは、第１のセグメントよりも長い曲げサイクル寿命を有する。
【００１９】
特定の態様では、オーディオ眼鏡は、２層の導電材料のうちの一方の層に隣接する第１の追加の絶縁層と、２層の導電材料のうちの他方の層に隣接する第２の追加の絶縁層と、を更に含む。
【００２０】
本概要の項に記載される特徴を含む、本開示に記載される特徴の２つ以上は、特に本明細書に記載されない実装形態を形成するために組み合わされ得る。
【００２１】
１つ以上の実装形態の詳細が、添付図面及び以下の説明において述べられる。他の特徴、目的、及び利点は、本説明及び図面から、並びに特許請求の範囲から明らかになるであろう。
【００２２】
様々な実装形態の図面は必ずしも縮尺どおりではないことに留意されたい。図面は、本開示の典型的な態様のみを示すことを意図するものであり、したがって、発明の範囲を限定するものとみなされるべきではない。図面において、同様の番号付けは、図面間の同様の要素を表す。
【図面の簡単な説明】
【００２３】
【図１】様々な実装形態によるオーディオ眼鏡の概略図を示す。
【図２】図１のオーディオ眼鏡に実質的に収容されている選択電子機器の概略図である。
【図３】様々な実装形態によるオーディオ眼鏡内のヒンジの概略図を示す。
【図４】図３のオーディオ眼鏡内にヒンジの追加の斜視図である。
【図５】様々な実装形態によるヒンジの断面図である。
【図６】様々な実装形態によるフレキシブルプリント回路（ＦＰＣ）を含むオーディオ眼鏡の概略部分透視図を示す。
【図７】様々な実装形態によるＦＰＣの断面図である。
【発明を実施するための形態】
【００２４】
本明細書に記載されるように、本開示の様々な態様は、概して、貫通ヒンジ配線を有するオーディオ眼鏡に関する。より具体的には、本開示の態様は、貫通ヒンジオーディオ眼鏡用の配線と共に、配線用空洞を有するヒンジを有するオーディオ眼鏡に関する。
【００２５】
図中の共通にラベル付けされた構成要素は、例示目的のために略同等の構成要素であるとみなされ、それらの構成要素の重複する説明は、明確化のために省略する。
【００２６】
本明細書に示され、説明される構成要素は、様々な製造技術、例えば、成形、鋳造、付加製造（例えば、３Ｄ印刷）などによって形成され得る。特定の技術が記載されていない場合、従来の製造手法を使用して、様々な実装形態に従って開示される構成要素及び構造を形成することができる。
【００２７】
本明細書に開示される態様及び実装形態は、様々なフォームファクタのウェアラブルオーディオデバイスなどの多種多様なスピーカシステムに適用可能であり得、オーディオ眼鏡又は他のヘッドマウントオーディオデバイスに特に適用する。別段の指定がない限り、本文書で使用されるようなウェアラブルオーディオデバイスという用語は、頭、肩、又は１つ以上の音響ドライバを含む身体装着音響デバイスなどの様々な他の種類のパーソナルオーディオデバイスを含み、ユーザーの耳に接触して又は接触することなく音を生成する。開示されるいくつかの態様は、オーディオ眼鏡又は他のヘッドマウントオーディオデバイスなどのパーソナル（ウェアラブル）オーディオデバイスに特に適用可能であり得る。オーディオを音響的に出力する目的を主に果たすスピーカシステムの具体的な実装形態は、ある程度の詳細が提示されているが、そのような特定の実装形態の提示は、実施例の提供を通じて理解を容易にすることを意図するものであり、開示の範囲又は特許請求の範囲のいずれかを限定するものとして解釈されるべきではないことに留意されたい。
【００２８】
本明細書に開示される態様及び実装形態は、双方向通信をサポートするか、又はサポートしないスピーカシステムに適用可能であり得、アクティブノイズ低減（active noise reduction、ＡＮＲ）をサポートするか、又はサポートしないスピーカシステムに適用可能であり得る。双方向通信又はＡＮＲのいずれかをサポートするスピーカシステムの場合、本明細書で開示及び特許請求されるものは、使用時に耳の外側に残るスピーカシステムの一部分（例えば、フィードフォワードマイクロフォン）、使用時に耳の一部分に挿入される一部分（例えば、フィードバックマイクロフォン）、又はそのような部分の両方に配置された１つ以上のマイクロフォンを組み込むスピーカシステムに適用可能であることが意図されている。本明細書で開示及び特許請求されるものが適用可能であるスピーカシステムの、更に他の実装形態は、当業者には明らかであろう。
【００２９】
本明細書で述べられるように、オフイヤーヘッドフォンは、使用中にユーザーの耳から離間した（又は分離された）音響ドライバを使用して音を生成する。オーディオ眼鏡（眼鏡ヘッドフォンとも称される）は、眼鏡フレーム内に内蔵された１つ以上の双極子ラウドスピーカを含み得る。双極子ラウドスピーカは、ラウドスピーカの電気音響トランスデューサの両側から位相のずれた音を生成する。音は、眼鏡フレーム内の開口部又は通気孔から放出され得る。一方の通気孔が耳に近く、他方の通気孔が耳から離れている場合には、最小限の漏出で高品質の音が耳に送達され得る。双極子ラウドスピーカを有するオフイヤーヘッドフォンの例は、米国特許第９，７９４，６７６号及び米国特許出願第１５／３７５，１１９号に開示されており、これらの両方は参照によりその全体が本明細書に組み込まれる。オフイヤーヘッドフォンの更なる態様は、米国特許出願第１５／８８４，９２４号及び同第１５／９９２，９８２号に記載されており、これらの両方は、参照によりその全体が本明細書に組み込まれる。加えて、特定のオフイヤーヘッドフォンの設計は、米国意匠特許出願第２９／６３９，１９１号（代理人整理番号ＯＧ−１８−０４１−ＵＳ）に含まれており、その全体が参照により本明細書に組み込まれる。
【００３０】
本明細書では、オーディオ眼鏡又は眼鏡ヘッドフォンとして記載されているが、本明細書に開示されるウェアラブルオーディオデバイスは、追加の特徴及び能力を含み得る。つまり、様々な実装形態に従って記載されるオーディオ眼鏡は、スマート眼鏡、スマートウォッチなどの１つ以上の他のウェアラブル電子デバイス、又は電気音響トランスデューサへの配線がヒンジへの通過を必要とする任意の他のウェアラブルオーディオデバイスに見られる特徴を含み得る。これらのオーディオ眼鏡は、１つ以上のカメラ、位置追跡デバイス、マイクロフォンなどの追加のハードウェア構成要素を含むことができ、音声認識、視覚認識、及び他のスマートデバイス機能が可能であり得る。本明細書に含まれるオーディオ眼鏡の説明は、そのようなデバイスにおけるこれらの追加の能力を除外することを意図するものではない。
【００３１】
図１は、様々な実装形態によるオーディオ眼鏡１０の概略図である。図示のように、オーディオ眼鏡１０は、レンズ領域３０と、レンズ領域３０から延在する一対のアーム４０と、を有するフレーム２０を含み得る。従来の眼鏡と同様に、レンズ領域３０及びアーム４０は、ユーザーの頭部に置かれるように設計されている。レンズ領域３０は、度付き、度なし、及び／又は光フィルタリングレンズ、並びにユーザーの鼻に置かれるためのブリッジ６０（パッドを含んでもよい）を含み得る、レンズ５０のセットを含み得る。アーム４０は、ユーザーのそれぞれの耳に載せるための輪郭６５を含み得る。
【００３２】
フレーム２０内には、電子機器７０及び特定の実装形態によるオーディオ眼鏡１０を制御するための他の構成要素が収容される（又は、構成要素がフレームの境界を越えて延在し得るように、実質的に収容される）。いくつかの事例では、電子機器７０の別個のセット又は重複セットがフレームの一部、例えば、フレーム２０内の対応するアーム４０のそれぞれに収容される。しかしながら、本明細書に記載されるある特定の構成要素は、単一の形態で存在し得る。
【００３３】
図２は、フレーム２０（図１）内に収容された電子機器７０の概略図を示す。電子機器７０内の１つ以上の構成要素は、ハードウェア及び／又はソフトウェアとして実装されてもよいこと、また、そのような構成要素は、任意の従来の手段（例えば、有線及び／又は無線接続）によって接続されてもよいことが理解される。オーディオ眼鏡１０又は実装形態に従って開示される他のシステム内の別の構成要素に接続又は連結されたものとして記載される任意の構成要素は、任意の従来の有線接続及び／又は追加の通信プロトコルを使用して通信し得ることが更に理解される。いくつかの事例では、通信プロトコル（複数可）は、無線ローカルエリアネットワーク（local area network、ＬＡＮ）、ＩＥＥＥ  ８０２．１１  ｂ／ｇなどの通信プロトコル（例えば、第３世代、第４世代、又は第５世代（３Ｇ、４Ｇ、５Ｇのセルラーネットワーク））、又はＢｌｕｅｔｏｏｔｈ（登録商標）、ＢＬＥ  Ｂｌｕｅｔｏｏｔｈ（登録商標）、ＺｉｇＢｅｅ（メッシュＬＡＮ）、Ｚ波（サブＧＨｚメッシュネットワーク）、６ＬｏＷＰＡＮ（軽量ＩＰプロトコル）、ＬＴＥプロトコル、ＲＦＩＤ、超音波オーディオプロトコルなどの、複数のモノのインターネット（internet-of-things、ＩｏＴ）プロトコルのうちの１つを含み得る。様々な特定の実装形態では、オーディオ眼鏡１０内に別個に収容された構成要素は、１つ以上の従来の無線送受信機を使用して通信するように構成される。
【００３４】
図２に示すように、フレーム２０（図１）内に収容された電子機器７０は、トランスデューサ８０と、慣性測定ユニット（ＩＭＵ）９０と、電源１００と、を含み得る。様々な実装形態では、電源１００はトランスデューサ８０に接続され、更にＩＭＵ９０に接続され得る。トランスデューサ８０、ＩＭＵ９０、及び電源１００のそれぞれは、コントローラ１１０と接続され、コントローラ１１０は、本明細書に記載される様々な実装形態に従って制御機能を実行するように構成されている。電子機器７０は、１つ以上の無線ネットワーク（例えば、ローカルＷｉＦｉネットワーク、Ｂｌｕｅｔｏｏｔｈ（登録商標）接続、又は無線周波数（ＲＦ）接続）を介して接続された１つ以上の他の電子デバイスと通信するように構成された通信構成要素（例えば、無線送受信機（ＷＴ））、並びに増幅及び信号処理構成要素など、本明細書に具体的に示されていない他の構成要素を含み得る。これらの構成要素又はこれらの構成要素の機能的等価物は、コントローラ１１０と接続され得る、又はその一部を形成し得ることが理解される。
【００３５】
トランスデューサ８０は、ユーザーの耳に近接して音響出力を生成するための少なくとも１つの電気音響トランスデューサを含み得る。いくつかの特定の事例では、少なくとも２つの電気音響トランスデューサ８０が、ユーザーの耳（例えば、それぞれの耳に近接する１つのトランスデューサ８０）に近接して（ただし、物理的に分離されて）位置付けられる。しかしながら、他の事例では、トランスデューサ８０は、それらが（又は耳とインターフェースをとるためのそれらの対応するハウジング又は構造）がユーザーの耳に物理的に接触するように、アーム４０から延在して位置付けられ得ることが理解される。ある特定の実装形態では、それぞれのトランスデューサ８０は、その前側から前側音響放射を放出し、その後側に後側音響放射を放出する音響ドライバ又はラジエータを有する双極子ラウドスピーカを含み得る。双極子ラウドスピーカは、オーディオ眼鏡１０のフレーム２０内に組み込まれ得る（図１）。ハウジングは、前側音響放射を方向付けることができ、またハウジングは、後側音響放射を方向付けることができる。ハウジング内の複数の音響電動通気孔（開口部）は、音がハウジングから出ることを可能にする。眼鏡フレーム２０内の開口部は、音がフレーム２０からも出るように、これらの通気孔と位置合わせされ得る。これらの事例では、音響伝導開口部間の距離は、ラウドスピーカの音響双極子の有効長を画定する。有効長は、任意の特定の周波数で放出される放射に最も寄与する２つの開口部間の距離であると考えることができる。ハウジング及びその開口部は、有効双極子長が周波数依存性であるように構築及び配置され得る。ある特定の事例では、トランスデューサ８０（例えば、ラウドスピーカ双極子トランスデューサ）は、この特徴を有さないオフイヤーヘッドフォンと比較して、耳に送達される音圧と漏出する音とのより大きい比を達成することができる。
【００３６】
ＩＭＵ９０は、多軸加速度計、ジャイロスコープ、及び／又は磁力計を組み合わせる微小電気機械システム（ＭＥＭＳ）デバイスを含み得る。追加又は代替センサは、本明細書に記載されるような動きを検出するための、ＩＭＵ９０、例えば、光学系追跡システム、加速度計、磁力計、ジャイロスコープ、又はレーダーの機能を実行し得ることが理解される。ＩＭＵ９０は、位置／配向に基づく制御機能を可能にするために、オーディオ眼鏡１０の物理的位置及び／又は配向の変化を検出するように構成され得る。電子機器７０はまた、オーディオ眼鏡１０に位置する１つ以上の光学的若しくは視覚的検出システム、又はオーディオ眼鏡１０の位置／配向を検出するように構成された別の接続デバイスを含み得ることが理解される。いずれの場合でも、ＩＭＵ９０（及び／又は追加のセンサ）は、オーディオ眼鏡１０の位置及び／又は配向に関するセンサデータをコントローラ１１０に提供し得る。
【００３７】
トランスデューサ８０への電源１００は、局所的に（例えば、フレーム２０のつる領域のそれぞれの電池を用いて）提供され得るか、又は単一の電池が、フレーム２０を通過するか、ないしは別の方法で一方のつるから他方のつるに転送される配線を介して電力を伝達し得る。電源１００は、様々な実装形態によるトランスデューサ８０の動作を制御するために使用され得る。
【００３８】
コントローラ１１０は、本明細書に記載されるプロセスに従ってプログラム命令又はコードを実行するための従来のハードウェア及び／又はソフトウェア構成要素を含み得る。例えば、コントローラ１１０は、１つ以上のプロセッサ、メモリ、構成要素間の通信経路、及び／又はプログラムコードを実行するための１つ以上の論理エンジンを含んでもよい。コントローラ１１０は、任意の従来の無線接続及び／又は有線接続を介して電子機器７０内の他の構成要素と連結することができ、それにより、コントローラ１１０は、それらの構成要素との間で信号を送受信し、それらの動作を制御することが可能になる。
【００３９】
図１に戻ると（及び図２を参照すると）、ある特定の実装形態では、オーディオ眼鏡１０は、コントローラ１１０と接続されたインターフェース１５０を含む。これらの事例では、インターフェース１５０は、オーディオ選択などの機能に使用され、オーディオ眼鏡に電力を供給するか、又は音声制御機能に従事し得る。ある特定の事例では、インターフェース１５０は、ボタン又は静電容量式タッチインターフェースを含む。いくつかの追加の実装形態では、インターフェース１５０は、ユーザーが、ユーザーインターフェースコマンドを開始するために、オーディオ眼鏡１０の１つ以上のセクション（例えば、アーム４０）を強く押すことを可能にし得る圧縮可能インターフェースを含む。図１に示されるインターフェース１５０は、単に、インターフェース（例えば、ボタン又は静電容量式タッチインターフェース）の一例を示すことを意図するものである。インターフェース機能は、インターフェースが肉眼で視認できないように、オーディオ眼鏡１０のフレームに統合され得ることが理解される。
【００４０】
図１に示されるが、図３及び図４の斜視図により具体的に例示されるように、オーディオ眼鏡１０はまた、レンズ領域３０及び一対のアーム４０のうちの１つを連結するヒンジ３００を含み得る。図１に示されるように、いくつかの事例では、オーディオ眼鏡１０は、それぞれのアーム４０をレンズ領域３０に連結するために１つずつ、２つのヒンジ３００を含む。しかしながら、オーディオ眼鏡は、図３及び図４に示されるヒンジ３００のうちの単一のヒンジを含み得る（かつ、アームとレンズ領域３０との他の接合部にある従来の眼鏡ヒンジを含み得る）ことが理解される。特定の実装形態では、ヒンジ３００は、ステンレス鋼などの金属で（例えば、金属射出成形（ＭＩＭ）を使用して）形成され、例えば、物理蒸着（ＰＶＤ）プロセスを使用してコーティングされ得る。フレーム２０の残りの部分は、実質的にプラスチック又は複合材料から形成され得る。
【００４１】
図３に戻ると、ヒンジ３００は、レンズ領域３０をオーディオ眼鏡１０の右アーム４０と接合する、フレーム２０の内側からのこの斜視図に示されている。この描写では、ヒンジ３００は実質的に開放位置にある。本明細書で更に説明するように、ヒンジ３００は、フレーム２０のレンズ領域３０に対するアーム４０の動き（例えば、枢動）を可能にし得るが、例えば、アーム（複数可）４０内の電子機器７０（図１）内の１つ以上の構成要素に接続するために、ヒンジ３００を通って延在するケーブル３１０を収容するように構成され得る。図４は、実質的に閉鎖した位置にあるフレーム２０の反対側からのオーディオ眼鏡１０の斜視図を示す。
【００４２】
図５は、アーム４０をレンズ領域３０に連結するヒンジ３００の上面断面図である。この図に示すように（図３及び図４を続けて参照すると）、ヒンジ３００は、本体３２０と、本体３２０を通って延在する空洞３３０と、を含み得る。本体３２０は、プラスチック又は複合材など、眼鏡業界で使用される１つ以上の従来の材料で形成され得る。空洞３３０は、内部を通って延在するケーブル３１０を収容するようにサイズ決めされ、すなわち、空洞３３０は、ケーブル３１０の幅よりも広い第１の開口部３４０（レンズ領域３０内の経路３５０に至る）と、ケーブル３１０よりも広い第２の開口部３６０（アーム４０内の経路３７０に至る）を有する。いくつかの事例では、第１の開口部３４０は、例えば、第１の開口部３５０が第２の開口部３７０のサイズの約３〜５倍である場合、第２の開口部３６０よりも大きい（より広い）。本明細書に記載されるように、様々な実装形態では、空洞３３０は、ケーブル３１０を収容するように、例えば、ケーブルが開口部３４０、３６０間の経路内で屈曲又は曲折することを可能にするようにサイズ決めされた経路を含む。
【００４３】
特定の実装形態では、ヒンジ３００は、繰り返し使用中の材料疲労を軽減するように輪郭形成された縁部３０５を含み得る。例えば、アーム４０との境界面における輪郭形成された縁部３０５は、材料疲労を軽減するのに特に有用であり得る。いくつかの事例では、第２の開口部３６０に隣接するヒンジ３００の表面は、輪郭形成された縁部３０５を含む。
【００４４】
様々な実装形態では、図５に示されるように、オーディオ眼鏡１０は、本体３２０に連結された摩擦要素４００を更に含み得る。摩擦要素４００は、例えば、アームがレンズ領域３０に対して動く際に、本体３２０に対して抵抗力を加えることによって、レンズ領域３０に対するアーム４０の動きを減衰させるように構成され得る。いくつかの実装形態では、摩擦要素４００は、本体３２０の外側表面４０５と連結されるが、他の事例では、摩擦要素４００は、摩擦要素４００が本体３２０内に延在するように、例えば、スロット又は嵌合溝内で本体３２０と一体化する。いくつかの例示的な実装形態では、図５に示されるように、摩擦要素４００は、アーム４０内のポケット４１５内に位置付けられ得、本明細書に記載される減衰機能を実行するために、本体３２０とアーム４０との間にはめ込まれてもよい。ある特定の実装形態では、摩擦要素４００は、結合剤又は接着剤を使用して本体３２０と接続されるが、他の事例では、摩擦要素４００は本体３２０と一体に形成され得る（例えば、一体成形、鋳造、又は付加製造）。いくつかの事例では、摩擦要素４００は、本体３２０及び／又はアーム４０と連結されたシリコーンダンパー又はバネ式デバイス（例えば、バネ式プラットフォーム又は接触パッド）を含む。
【００４５】
様々な実装形態では、ヒンジ３００は、レンズ領域３０内のスロット４１０内に固定される。例えば、図３及び図５に示されるように、スロット４１０は、スロット４１０内のレンズ領域３０に固定されるか、ないしは別の方法で固定的に取り付けられ得るヒンジ３００を収容するようにサイズ決めされる。いくつかの事例では、ヒンジ３００は、接着剤又は結合剤によってレンズ領域３０と接続される。特定の実装形態では、図３〜図５に示されるように、オーディオ眼鏡は、ヒンジ３００をアーム４０に連結するピン４２０のセットを含み得る。いくつかの特定の事例では、少なくとも２つのピン４２０が、ヒンジ３００をアーム４０に接続するために使用され、アーム４０がレンズ領域３０に対して旋回することを可能にする。ピン（複数可）４２０は、ヒンジ３００内の嵌合スロット（複数可）４３０を通って延在し得る。ある場合には、上部ピン４１０及び下部ピン４１０は、いずれのピンも空洞３３０を通って延在してケーブル３１０を干渉することがないように、ヒンジ３００をアーム４０と連結するために使用される。
【００４６】
図３に示されるように、ヒンジ３００は、オーディオ眼鏡１０が開放位置にあるときに、ケーブル３１０を実質的に視界から遮る。つまり、オーディオ眼鏡１０が開放位置にあるとき、ユーザーにはケーブル３１０のわずかな部分のみが見える。ヒンジ３００の外側表面とアーム４０のケーシングとの間のこの隙間により、アーム４０は、アーム４０の動きを妨げることなく、ヒンジ３００を中心に旋回することができる。図４に示されるように、ヒンジ３００は、オーディオ眼鏡１０が閉鎖位置にあるときに、ケーブル３１０を完全に視界から遮る。つまり、オーディオ眼鏡が閉鎖位置にあるとき、ユーザーには、ケーブル３１０のいずれの部分も見えない。
【００４７】
図６のオーディオ眼鏡１０の斜視図に示されるように（引き続き図５も参照すると）、様々な実装形態では、ケーブル３１０は、レンズ領域３０を通って延在し、アーム４０のうちの１つにある回路基板（図示せず）に第１の位置４４０で固定され、かつ他方のアーム４０内の電気音響トランスデューサ８０に近接する第２の位置４５０に固定される。ケーブル３１０は、ヒンジ３００を貫通するが、レンズ領域３０に対するアーム（複数可）４０の動きを可能にする。例えば、図５に示すように、いくつかの実装形態では、ケーブル３１０は、レンズ領域３０に対するアーム４０の動きの最中のケーブル３１０における張力を制御するために、空洞３３０内に収容された少なくとも１つの屈曲部４６０を含む。つまり、屈曲部４６０は、レンズ領域３０に対するアーム４０の動きの最中のケーブル３１０における望ましくない張力を防止するために、ケーブル３１０内に意図的に形成され得る。いくつかの事例では、１つ以上の追加の屈曲部４６０がケーブル３１０内に形成されて、動きの最中のケーブル３１０の張力を制御する。
【００４８】
ある特定の実装形態では、ケーブル３１０は、図６に示すように、オーディオ眼鏡１０内の両方のヒンジ３００を通過するように構成され得るフレキシブルプリント回路（ＦＰＣ）を含む。ケーブル３１０のＦＰＣ実装は、図７のＦＰＣ７００によって指定される。図７に示されるＦＰＣ７００は、境界によって分離された２つのセクションで示されている。この図は、この斜視図内の別個のセグメントの特定の特性を示すことを意図している。
【００４９】
図６及び図７に示されるように、ＦＰＣ７００は、レンズ領域３０からアーム４０のうちの少なくとも１つまで延在するように構成されている。特定の実装形態では、ＦＰＣ７００は、それぞれのヒンジ３００を通って、アーム４０の対応する１つまで延在する。図７のＦＰＣ７００の断面図は、レンズ領域３０（図６）に位置する第１のセグメント７１０と、レンズ領域３０とアーム４０との間の接合部７３０に近接して位置する第２のセグメント７２０と、の２つの別個のセグメントを示す。様々な実装形態では、接合部７３０は、図１及び図３〜図５に関して本明細書に記載されるように、ヒンジ３００を含む。第２のセグメント７２０は、接合部７３０に近接する領域内のヒンジ３００を通過するようにサイズ決めされている。第２のセグメント７２０は、片面セグメントとも称されてもよく、第１のセグメント７１０は、両面セグメントとも称されてもよい。いくつかの事例では、第２のセグメント７２０は、それぞれのアーム４０の長さの一部分にわたって延在し、特定の事例では、第２のセグメント７２０は、アーム４０内の電子機器７０（例えば、本明細書に記載されるトランスデューサ又は他の電子構成要素）まで延在する。
【００５０】
図７に見られるように、第１のセグメント７１０（又は両面セグメント）は、少なくとも１つのビア７６０によって接続され、絶縁層７７０によって分離された２層の導電材料７５０ａ、７５０ｂを含む。導電材料層（第１）７５０ａ、導電材料層（第２）７５０ｂ、及びビア７６０は、一般的な導電材料、例えば、銅、若しくはアルミニウムなどの金属、又は金属充填ポリマーなどの導電性ポリマーから形成され得る。絶縁層７７０は、シリコン、シリコンゲルマニウムなどの任意の従来の絶縁回路材料を含み得る。第１及び第２の導電材料層７５０ａ、７５０ｂを分離する絶縁層７７０と同様の材料で形成され得る追加の絶縁層７７０が、第１のセグメント７１０に示されている。
【００５１】
引き続き図６及び図７を参照すると、第２のセグメント７２０は、２つのセグメント間の電気経路が中断されないように、第１のセグメント７１０と連続している。レンズ領域３０とアーム４０との間の接合部７３０に近接して位置する第２のセグメント７２０（図６）は、導電材料層のうちの１つのみ、すなわち第１の導電材料層７５０ａを有する。つまり、ＦＰＣ７００は、第１のセグメント７１０（導電材料層７５０ａ、７５０ｂの両方を有する）から、ヒンジ３００に近接した第２のセグメント７２０（第１の導電材料層７５０を有する）に移行する。この意味では、図５を更に参照すると、第２のセグメント７２０は、ヒンジ３００内の空洞３３０を通過し、第１のセグメント７１０は、その空洞３３０の外側に留まる。いくつかの特定の事例では、ＦＰＣ７００は、両方のアーム４０並びにレンズ領域３０を通って延在し、第２のセグメント７２０のみが、レンズ領域３０とアーム４０との間のそれぞれの接合部７３０に近接して、例えば、ヒンジ３３０のそれぞれから短い距離に位置する。しかしながら、他の実装形態では、ＦＰＣ７００は、レンズ領域３０にわたり、ヒンジ３００に近接する第２のセグメント７２０に移行する第１のセグメント７１０を含み、第２のセグメント７２０は、アーム（複数可）４０内の電子機器７０（例えば、トランスデューサ８０）（図１）に近接した装着位置まで続いている。
【００５２】
様々な特定の実装形態では、第１の導電材料層７５０ａは、それらの層を形成するために使用される導電材料の種類の違いにかかわらず、第２の導電材料層７５０ｂよりも薄い。ある特定の事例では、第２の導電材料層７５０ｂは、第１の導電材料層７５０ａの厚さ（Ｔ１）の少なくとも３倍の厚さ（Ｔ２）を有する（図７）。
【００５３】
様々な実装形態では、第１のセグメント７１０（第１及び第２の導電材料７５０ａ、７５０ｂの両方を有する）は、第２のセグメント７２０（第１の導電材料層７５０ａのみを有する）よりも低いインピーダンスを有する。つまり、ＦＰＣ７００の長さの大部分にわたり得る第１のセグメント７１０は、第２のセグメント７２０よりもインピーダンスの懸念の影響を受けにくい。逆に、第２のセグメント７２０は、第１のセグメント７１０よりも長い曲げサイクル寿命を有し得る。この意味では、ＦＰＣ７００の２セグメント構成は、回路の長さの大部分に及ぶインピーダンス制御を可能にする一方で、ヒンジ３００を通過する回路の領域における曲げサイクル寿命を向上させる。この構成は、ＦＰＣ７００が約２ミリメートル（ｍｍ）以下の厚さを有し、いくつかの実装形態では、１．５ｍｍほどの薄さになり得るように、薄いＦＰＣ設計を（ページ図６に）可能にする。ＦＰＣ７００の薄型構成は、嵩のある回路機構によって厚くならない、自然な見た目のレンズ領域３０及びアーム４０を可能にする。これにより、電気性能を損なうことなく、オーディオ眼鏡１０の美的魅力を高めることができる。
【００５４】
本明細書に記載される機能性又はその部分、及びその様々な修正（以下「機能」）は、少なくとも部分的にコンピュータプログラム製品（例えば、１つ以上のデータ処理装置（例えば、プログラム可能プロセッサ、コンピュータ、複数のコンピュータ、及び／又はプログラム可能論理構成要素など）の動作による実行のための、又はその動作を制御するための、１つ以上の非一時的機械可読媒体などの情報担体において有形に具現化されたコンピュータプログラム）を介して実装され得る。
【００５５】
コンピュータプログラムは、コンパイラ型言語又はインタープリタ型言語を含む任意の形態のプログラム言語で書くことができ、それは、スタンドアローンプログラムとして、又はコンピューティング環境での使用に好適なモジュール、構成要素、サブルーチン、若しくは他のユニットとして含む任意の形態で配備され得る。コンピュータプログラムは、１つのコンピュータ上で、若しくは１つのサイトにおける複数のコンピュータ上で実行されるように配備されるか、又は複数のサイトにわたって配信されて、ネットワークによって相互接続され得る。
【００５６】
機能の全部又は一部を実装することと関連した動作は、較正プロセスの機能を実施するために１つ以上のコンピュータプログラムを実行する１つ以上のプログラム可能なプロセッサによって実施され得る。機能の全部又は一部は、特殊目的論理回路、例えば、ＦＰＧＡ及び／又はＡＳＩＣ（特定用途向け集積回路）として実装され得る。コンピュータプログラムの実行に好適なプロセッサとしてはまた、例として、一般的及び特殊目的マイクロプロセッサの両方、並びに任意の種類のデジタルコンピュータの１つ以上のプロセッサが挙げられる。一般的に、プロセッサは、読み出し専用メモリ、ランダムアクセスメモリ、又はそれらの両方から命令及びデータを受信することになる。コンピュータの構成要素は、命令を実行するためのプロセッサ、並びに命令及びデータを記憶するための１つ以上のメモリデバイスを含む。
【００５７】
図面の要素は、ブロック図の個別要素として図示及び説明される。これらの要素は、アナログ回路又はデジタル回路の１つ以上として実現されるようにしてもよい。代替的に、又は追加的に、これらの要素は、１つ以上のマイクロプロセッサがソフトウェア命令を遂行して実現されるようにしてもよい。ソフトウェア命令は、デジタル信号処理命令を含むことができる。演算は、アナログ回路により、又はマイクロプロセッサが、アナログ演算と同等の演算を実行するソフトウェアを遂行することにより実行することができる。信号ラインは、個別のアナログ信号ライン又はデジタル信号ラインとして、別個の信号を処理することができる適切な信号処理を行う個別のデジタル信号ラインとして、及び／又は無線通信システムの要素として実装されてもよい。
【００５８】
ブロック図でプロセスが表現又は示唆されるときに、ステップは、１つの要素又は複数の要素によって実行され得る。これらのステップは、一括して実行される、又は異なる時点で行われるようにしてもよい。活動を実行する要素は、物理的に同じであっても互いに近接していてもよく、又は物理的に離れていてもよい。１つの要素は、１つのブロックよりも多くの活動を実行することができる。オーディオ信号は、符号化することができる、又は符号化されなくてもよく、デジタル形式又はアナログ形式のいずれかで伝送することができる。従来のオーディオ信号処理装置及びオーディオ信号演算処理は、図面から省略されている場合がある。
【００５９】
様々な実装形態では、互いに「連結」されているとして説明される構成要素は、１つ以上のインターフェースに沿って接合することができる。いくつかの実装形態では、これらのインターフェースは、別個の構成要素間の接合部を含むことができ、他の場合には、これらのインターフェースは、強固に及び／又は一体的に形成された相互接続部を含み得る。すなわち、場合によっては、互いに「連結された」構成要素は同時に形成されて、単一の連続部材を画定することができる。しかしながら、他の実装形態では、これらの連結された構成要素は、別個の部材として形成され、その後、既知のプロセス（例えば、はんだ付け、締結、超音波溶接、接合）によって接合され得る。様々な実装形態では、「連結された」と記載される電子構成要素は、これらの電子構成要素が互いにデータを通信することができるように、従来の有線及び／又は無線手段を介してリンクすることができる。更に、所与の構成要素内の下位構成要素は、従来の経路を介してリンクされていると考えることができるが、必ずしも図示されない。
【００６０】
具体的に本明細書に記載されていない他の実施形態もまた、以下の特許請求の範囲内にある。本明細書に記載される異なる実装形態の要素は、特に上に記載されない他の実施形態を形成するために組み合わされ得る。要素は、それらの動作に悪影響を及ぼすことなく、本明細書に記載される構造から除かれ得る。更にまた、様々な別個の要素は、本明細書に記載される機能を実施するために、１つ以上の個々の要素と組み合わされ得る。
【符号の説明】
【００６１】
１０  オーディオ眼鏡
２０  フレーム
３０  レンズ領域
４０  アーム
８０  電気音響トランスデューサ
３００  ヒンジ
３２０  本体
３３０  空洞
【図１】
2021532418.tif 000003
【図２】
2021532418.tif 000004
【図３】
2021532418.tif 000005
【図４】
2021532418.tif 000006
【図５】
2021532418.tif 000007
【図６】
2021532418.tif 000008
【図７】
2021532418.tif 000009
【国際調査報告】
2021532418.tif 000010
2021532418.tif 000011
2021532418.tif 000012
2021532418.tif 000013
2021532418.tif 000014